(57)【要約】【課題】愛玩動物を飽きさせることなく、飼い主と愛玩動物とが一緒に遊べる愛玩動物用玩具を提供する。【解決手段】箱本体１の一側面に、愛玩動物Ｐの注意を引く棒状のじゃらし３を挿入する孔部ｈ・・・を設け、前記箱本体１の上面に、前記側面から挿入された前記じゃらし３の少なくとも先端部分を飛び出させる孔部ｈ・・・を設ける。【選択図】図１
2012161257.tif 000002
【特許請求の範囲】
【請求項１】
箱本体の一側面に、愛玩動物の注意を引く棒状のじゃらしを挿入する孔部が設けられ、
前記箱本体の上面に、前記側面から挿入された前記じゃらしの少なくとも先端部分を飛び出させる孔部が設けられていることを特徴とする愛玩動物用玩具。
【請求項２】
前記箱本体は、左開口部および右開口部を有する角筒状体と、
前記角筒状体の前記左開口部または前記右開口部から前記角筒状体中に引き入れられるトレー体と、を備え、
前記トレー体は、底面板の左右両側からそれぞれ立ち上がるように曲げ起こされ、前記角筒状体の内側に嵌り込んで前記左開口部および前記右開口部を閉塞する立壁部を備えていることを特徴とする請求項１に記載の愛玩動物用玩具。
【請求項３】
前記角筒状体は、前記左開口部を有する左角筒状体と前記右開口部を有する右角筒状体とを連結して構成されることを特徴とする請求項２に記載の愛玩動物用玩具。
【請求項４】
前記左角筒状体と前記右角筒状体との連結部分には、前記左角筒状体および前記右角筒状体のそれぞれの上面から下方に向かって折り曲げられている折曲片が設けられていることを特徴とする請求項３に記載の愛玩動物用玩具。
【請求項５】
前記トレー体の前記底面板の左右両端部には、前記底面板の左右両端縁から前記底面板に重なるまで前記トレー体の内側に折り返された突出部が形成され、
前記立壁部は、前記底面の左右両端縁より内側位置で前記突出部からそれぞれ立ち上がるように曲げ起こされて形成されていることを特徴とする請求項２〜４に記載の愛玩動物用玩具。
【請求項６】
前記角筒状体上面の左右両側端縁近傍には、前記トレー体の前記立壁部上縁に挿し込まれて前記トレー体と係合する側面挿込片が形成されている請求項２〜５に記載の愛玩動物用玩具。
【請求項７】
前記角筒状体の下面には、前記トレー体の前記底面板に挿し込まれて前記トレー体と係合する下面挿込片が形成されている請求項２〜６に記載の愛玩動物用玩具。
【請求項８】
前記愛玩動物用玩具は、愛玩動物の注意を引く棒状のじゃらしを備え、
前記じゃらしは、折り曲げたときの形状を保持できる形状保持手段を備えている請求項１〜７に記載の愛玩動物用玩具。
【発明の詳細な説明】
【技術分野】
【０００１】
本発明は、例えば猫等の愛玩動物を遊ばせる愛玩動物用玩具に関する。
【背景技術】
【０００２】
従来、猫等の愛玩動物用の玩具として、猫の注意を引く誘引体が先端部に取り付けられた棒状の猫じゃらし（特許文献１参照）や、複数の孔部が設けられた箱体の中に愛玩動物の注意を引く誘引体が配置された愛玩動物用玩具（特許文献２参照）が知られている。
【先行技術文献】
【特許文献】
【０００３】
【特許文献１】特開２００１−２９９１２４号公報
【特許文献２】特開平１０−１１７６２３号公報
【発明の概要】
【発明が解決しようとする課題】
【０００４】
しかしながら、このような猫じゃらしは、愛玩動物の注意を引く誘引体が、常に愛玩動物の目につく範囲に存在するため、遊んでいるうちに愛玩動物が誘引体を見慣れてしまい、愛玩動物の注意を引くことができなくなることがあった。
【０００５】
また、箱体内に誘引体が配置された愛玩動物用玩具では、愛玩動物が箱体の孔部に手足等を突っ込んで、箱体内に配置された誘引体とじゃれ合うように構成されているため、飼い主と愛玩動物とが一緒になって遊ぶことができなかった。
【０００６】
本発明は、上述した事情に鑑みてなされたものであり、その目的は、愛玩動物を飽きさせることなく、飼い主と愛玩動物とが一緒に遊べる愛玩動物用玩具を提供することにある。
【課題を解決するための手段】
【０００７】
［１］箱本体の一側面に、愛玩動物の注意を引く棒状のじゃらしを挿入する孔部が設けられ、
前記箱本体の上面に、前記側面から挿入された前記じゃらしの少なくとも先端部分を飛び出させる孔部が設けられていることを特徴とする愛玩動物用玩具。
【０００８】
［２］前記箱本体は、左開口部および右開口部を有する角筒状体と、
前記角筒状体の前記左開口部または前記右開口部から前記角筒状体中に引き入れられるトレー体と、を備え、
前記トレー体は、底面板の左右両側からそれぞれ立ち上がるように曲げ起こされ、前記角筒状体の内側に嵌り込んで前記左開口部および前記右開口部を閉塞する立壁部を備えていることを特徴とする前項１に記載の愛玩動物用玩具。
【０００９】
［３］前記角筒状体は、前記左開口部を有する左角筒状体と前記右開口部を有する右角筒状体とを連結して構成されることを特徴とする前項２に記載の愛玩動物用玩具。
【００１０】
［４］前記左角筒状体と前記右角筒状体との連結部分には、前記左角筒状体および前記右角筒状体のそれぞれの上面から下方に向かって折り曲げられている折曲片が設けられていることを特徴とする前項３に記載の愛玩動物用玩具。
【００１１】
［５］前記トレー体の前記底面板の左右両端部には、前記底面板の左右両端縁から前記底面板に重なるまで前記トレー体の内側に折り返された突出部が形成され、
前記立壁部は、前記底面の左右両端縁より内側位置で前記突出部からそれぞれ立ち上がるように曲げ起こされて形成されていることを特徴とする前項２〜４に記載の愛玩動物用玩具。
【００１２】
［６］前記角筒状体上面の左右両側端縁近傍には、前記トレー体の前記立壁部上縁に挿し込まれて前記トレー体と係合する側面挿込片が形成されている前項２〜５に記載の愛玩動物用玩具。
【００１３】
［７］前記角筒状体の下面には、前記トレー体の前記底面板に挿し込まれて前記トレー体と係合する下面挿込片が形成されている前項２〜６に記載の愛玩動物用玩具。
【００１４】
［８］前記愛玩動物用玩具は、愛玩動物の注意を引く棒状のじゃらしを備え、
前記じゃらしは、折り曲げたときの形状を保持できる形状保持手段を備えている前項１〜７に記載の愛玩動物用玩具。
【発明の効果】
【００１５】
前項［１］の発明によると、箱本体の一側面に、愛玩動物の注意を引く棒状のじゃらしを挿入する孔部が設けられ、前記箱本体の上面に、前記側面から挿入された前記じゃらしの少なくとも先端部分を飛び出させる孔部が設けられているため、飼い主が箱本体の一側面からじゃらしを挿入し、箱本体の上面からじゃらしの少なくとも先端部分を飛び出させることで、愛玩動物が飛び出してきたじゃらしとじゃれて遊ぶことで、飼い主と愛玩動物とが一緒に遊ぶことができる。また飼い主が愛玩動物の注意を引くじゃらしを愛玩動物の箱本体内に適宜潜ませて、じゃらしを愛玩動物の目につかないようにすることで、愛玩動物が遊んでいるうちにじゃらしを見慣れることがないので、愛玩動物を飽きさせることがない。
【００１６】
前項［２］の発明によると、前記箱本体は、左開口部および右開口部を有する角筒状体と、前記角筒状体の前記左開口部または前記右開口部から前記角筒状体中に引き入れられるトレー体とを備え、前記トレー体は、底面板の左右両側からそれぞれ立ち上がるように曲げ起こされ、前記角筒状体の内側に嵌り込んで前記左開口部および前記右開口部を閉塞する立壁部を備えているため、角筒状体とトレー体とを分離することで箱本体をコンパクトにできる。さらに立壁部が角筒状体の開口部内側の上面を支持するから、愛玩動物が遊戯中に立壁部のある箱本体上面に飛び乗った際に、箱本体が愛玩動物の重さに耐えきれずに押し潰されることがなく、立壁部のある箱本体上面の強度を高めることができる。
【００１７】
前項［３］の発明によると、前記角筒状体は、前記左開口部を有する左角筒状体と前記右開口部を有する右角筒状体とを連結して構成されるため、未使用時に角筒状体を左角筒状体と右角筒状体とに分離することにより、収納時に嵩張ることがない。
【００１８】
前項［４］の発明によると、前記左角筒状体と前記右角筒状体との連結部分には、前記左角筒状体および前記右角筒状体のそれぞれの上面から下方に向かって折り曲げられている折曲片が設けられているため、折曲片を上面の補強材として機能させ、箱本体の連結された部分の上面の強度を高めることができる。これにより、愛玩動物が遊戯中に箱本体の上面に飛び乗った際に、箱本体が愛玩動物の重さに耐えきれずに押し潰されることがない。
【００１９】
前項［５］の発明によると、前記トレー体の前記底面板の左右両端部には、前記底面板の左右両端縁から前記底面板に重なるまで前記トレー体の内側に折り返された突出部が形成され、前記立壁部は、前記底面の左右両端縁より内側位置で前記突出部からそれぞれ立ち上がるように曲げ起こされて形成されているため、突出部が重ね合わされた状態から展開状態に戻ろうとする反発力により、立壁部には上方に押し上げられる力が作用し、角筒状体の上面に下側から押しつけられるため、この立壁部が角筒状体の上面を支持して、箱本体の上面の左右両側上面の強度をより高めることができる。
【００２０】
前項［６］の発明によると、前記角筒状体上面の左右両側端縁近傍には、前記トレー体の前記立壁部上縁に挿し込まれて前記トレー体と係合する側面挿込片が形成されているため、側面挿込片はトレー体の立壁部上縁と係合固定されて、立壁部の内側への移動を規制するから、愛玩動物が遊戯中に立壁部を殴打等するじゃれに対してもトレー体の立壁部が角筒状体内部に曲げ倒されるのを防止できる。
【００２１】
前項［７］の発明によると、前記角筒状体の下面には、前記トレー体の前記底面板に挿し込まれて前記トレー体と係合する下面挿込片が形成されているため、下面挿込片がトレー体の引き出し方向の移動を阻止するから、トレー体のずれを防止できる。
【００２２】
前項［８］の発明によると、前記愛玩動物用玩具は、愛玩動物の注意を引く棒状のじゃらしを備え、前記じゃらしは、折り曲げたときの形状を保持できる形状保持手段を備えているため、飛び出させる孔部に合わせて飛ぶ出しやすい角度にじゃらしを折り曲げてその形状を保持できるから、誘引体を孔部から飛ぶ出させやすくできる。
【図面の簡単な説明】
【００２３】
【図１】図１は、本発明の一実施形態にかかる愛玩動物用玩具を示す斜視図である。
【図２】図２は、本発明の一実施形態にかかる箱本体を示す平面図である。
【図３】図３は、本発明の一実施形態にかかる箱本体を示す底面図である。
【図４】図４は、本発明の一実施形態にかかる箱本体を示す右側面図である。
【図５】図５は、本発明の一実施形態にかかる箱本体を示す左側面図である。
【図６】図６は、本発明の一実施形態にかかる箱本体を示す正面図である。
【図７】図７は、本発明の一実施形態にかかる箱本体を示す背面図である。
【図８】図８は、本発明の一実施形態にかかる箱本体を示すＸ−Ｘ断面図である。
【図９】図９は、本発明の一実施形態にかかる箱本体を構成するトレー体と角筒状体との展開平面図であり、（Ａ）は角筒状体の展開平面図、（Ｂ）はトレー体の展開平面図である。
【図１０】図１０は、本発明の一実施形態にかかる角筒状体の下面挿込片の拡大展開平面図である。
【図１１】図１１は、本発明の一実施形態にかかる角筒状体の側面挿込片の拡大展開平面図である。
【図１２】図１２は、本発明の一実施形態にかかる角筒状体の係止突片と係止スリットとの拡大展開平面図である。
【図１３】図１３は、本発明の一実施形態にかかる箱本体の組立手順を説明する斜視図である。
【図１４】図１４は、本発明の一実施形態にかかる箱本体の組立手順を説明する斜視図である。
【図１５】図１５は、本発明の一実施形態にかかる箱本体の組立手順を説明する斜視図である。
【図１６】図１６は、本発明の一実施形態にかかる愛玩動物用玩具の使用状態を示す斜視図である。
【発明を実施するための形態】
【００２４】
次に、本発明の一実施形態について、図１〜図１６を参照して説明する。図１は、本発明の一実施形態にかかる愛玩動物用玩具を示す斜視図である。図２は、本発明の一実施形態にかかる箱本体を示す平面図である。図３は、本発明の一実施形態にかかる箱本体を示す底面図である。図４は、本発明の一実施形態にかかる箱本体を示す右側面図である。図５は、本発明の一実施形態にかかる箱本体を示す左側面図である。図６は、本発明の一実施形態にかかる箱本体を示す正面図である。図７は、本発明の一実施形態にかかる箱本体を示す背面図である。図８は、本発明の一実施形態にかかる箱本体を示すＸ−Ｘ断面図である。図９は、本発明の一実施形態にかかる箱本体を構成するトレー体と角筒状体との展開平面図であり、（Ａ）は角筒状体の展開平面図、（Ｂ）はトレー体の展開平面図である。図１０は、本発明の一実施形態にかかる角筒状体の下面挿込片の拡大展開平面図である。図１１は、本発明の一実施形態にかかる角筒状体の側面挿込片の拡大展開平面図である。図１２は、本発明の一実施形態にかかる角筒状体の係止突片と係止スリットとの拡大展開平面図である。図１３は、本発明の一実施形態にかかる箱本体の組立手順を説明する斜視図である。図１４は、本発明の一実施形態にかかる箱本体の組立手順を説明する斜視図である。図１５は、本発明の一実施形態にかかる箱本体の組立手順を説明する斜視図である。図１６は、本発明の一実施形態にかかる愛玩動物用玩具の使用状態を示す斜視図である。
【００２５】
図１〜図８に示すように、本発明の一実施形態にかかる愛玩動物用玩具Ｇは、棒状のじゃらし３と、箱本体１とを備えている。
【００２６】
じゃらし３は、基端部に把持部３１が形成され、先端部に愛玩動物Ｐの注意を引く誘引体３２が取り付けられている。じゃらしの先端には、折り曲げたときの形状を保持できる形状保持手段（図示せず）が備えられている。この形状保持手段は、例えば針金等を採用することができる。
【００２７】
箱本体１は、中空の箱状に形成され、この箱本体１は、上面の上面壁１２と、下面の下面壁１３と、正面の正面壁１１ａと、背面の背面壁１１ｂと、左右両側面の立壁部２３，２３とを有している。箱本体１の立壁部２３，２３には、じゃらし３を挿入する孔部ｈ・・・が設けられ、箱本体１の上面壁１２には、じゃらし３を飛び出させる孔部ｈ・・・が設けられている。
【００２８】
箱本体１は、角筒状体１０とトレー体２０とを備えている。角筒状体１０は、上面の上面壁１２と、下面の下面壁１３と、正面の正面壁１１ａと、背面の背面壁１１ｂと、左開口部１１ｄと、右開口部１１ｃと、を有している。角筒状体１０は、左開口部１１ｄを有する左角筒状体１０ｂと、右開口部１１ｃを有する右角筒状体１０ａとを連結して構成されている。
【００２９】
連結が解除された右角筒状体１０ａは、右開口部１１ｃの対向する側に開口部を有し、連結が解除された左角筒状体１０ｂは、左開口部１１ｄの対向する側に開口部を有している。
【００３０】
この右角筒状体１０ａの開口部と左角筒状体１０ｂの開口部とには、右角筒状体１０ａと左角筒状体１０ｂとを連結するための連結部が設けられている。この連結部は、左角筒状体１０ｂの係止突片１９，１９と、右角筒状体１０ａの係止スリット１８，１８とから構成されている。係止突片１９，１９は、係止スリット１８，１８に挿入されて、左角筒状体１０ｂと右角筒状体１０ａとは連結されている。
【００３１】
左角筒状体１０ｂと右角筒状体１０ａとの連結部分の上面端縁には、折曲片１５，１５が設けられている。この折曲片１５，１５は、左角筒状体１０ｂおよび右角筒状体１０ａのそれぞれの上面から下方に向かって折り曲げられている。またこの折曲片１５，１５は、折曲片１５，１５の上面（折れ曲がったときには対向する面）同士が押し合って接するようにして下方に折れ曲がっている。
【００３２】
角筒状体１０上面の左右両側端縁近傍には、側面挿込片１７，１７が形成されている。この側面挿込片１７，１７は、下方に向かって折り曲げられている。
【００３３】
角筒状体１０の下面の下面壁１３の中央部には、下面挿込片１６，１６が形成されている。この下面挿込片１６，１６は、下面挿込片１６，１６の下面（折れ曲がったときには対向する面）同士が押し合って接するように上方に向かって折り曲げられている。
【００３４】
トレー体２０は、角筒状体１０の左開口部１１ｄまたは右開口部１１ｃから角筒状体１０中に引き入れられている。このトレー体２０は、底面板２１と立壁部２３とを備えている。
【００３５】
底面板２１の中央部には、長方形状の下面挿込孔２５が設けられている。下面挿込孔２５には、角筒状体１０の下面挿込片１６，１６が挿し込まれている。
【００３６】
トレー体２０の底面板２１の左右両端部には、底面板２１の左右両端縁から底面板２１に重なるまでトレー体２０の内側に折り返された突出部２２，２２が形成されている。立壁部２３，２３は、底面板２１，２１の左右両端縁より内側位置で、突出部２２，２２からそれぞれ立ち上がるように曲げ起こされて形成され、角筒状体１０の内側に嵌り込んで左開口部１１ｄおよび右開口部１１ｃを閉塞している。
【００３７】
立壁部２３，２３の先端には、それぞれ折込片２４ａ，２４ａが設けられている。この折込片２４ａ，２４ａは、右角筒状体１０ａおよび左角筒状体１０ｂの上面と平行になるように右角筒状体１０ａおよび左角筒状体１０ｂの内側へ折り曲げられている。また立壁部２３，２３の左右両側には、折込片２４ｂ，２４ｂが設けられている。この折込片２４ｂ，２４ｂは、右角筒状体１０ａおよび左角筒状体１０ｂの正面壁１１ａ，１１ａおよび背面壁１１ｂ，１１ｂに沿うように内側に折り曲げられている。
【００３８】
立壁部２３，２３上縁（立壁部２３，２３と折込片２４ａ，２４ａと境目）には、側面挿込孔２６，２６が設けられている。この側面挿込孔２６，２６には、角筒状体１０の側面挿込片１７，１７が挿し込まれている。
【００３９】
次に箱本体１の展開状態について説明すると、図９に示すように、箱本体１は、シート状の紙等を打ち抜き加工して形成された右角筒状体１０ａおよび左角筒状体１０ｂと、シート状の紙等を打ち抜き加工して形成されたトレー体２０と、を組み立てて構成されている。
【００４０】
図９の（Ａ）、図１０、図１１、図１２に示すように、右角筒状体１０ａおよび左角筒状体１０ｂは、背面壁１１ｂと上面壁１２と正面壁１１ａと下面壁１３と貼着片１４とが折線Ｌ１，Ｌ２，Ｌ３，Ｌ５を介して長手方向に順に連設され、上面壁１２には、折曲片１５，１５が折線Ｌ４，Ｌ４を介して連設されている。右角筒状体１０ａおよび左角筒状体１０ｂの上面壁１２には、じゃらし３の誘引体３２が飛び出せる程度の大きさの円形状の孔部ｈ・・・が複数設けられている。
【００４１】
右角筒状体１０ａおよび左角筒状体１０ｂの下面壁１３，１３には、下面挿込片１６，１６が設けられている。この下面挿込片１６，１６は、下面壁１３，１３の内側から外側端縁に至って切り込まれた２本の平行な切り込み１６ｃ，１６ｃの内側に形成された平行部１６ａと、その平行部１６ａと折線Ｌ１９を介して連設され、下面壁１３，１３の外側に向かって突出するように、その平行な切り込み１６ｃ，１６ｃから下面壁１３，１３の外側に向かうにつれて次第に幅広になり、そして略扇状になるように形成された扇状部１６ｂとから形成されている。
【００４２】
右角筒状体１０ａおよび左角筒状体１０ｂの上面壁１２，１２には、側面挿込片１７，１７が設けられている。この側面挿込片１７は、上面壁１２，１２の内側から外側端縁に至って切り込まれた２本の平行な切り込み１７ｃ，１７ｃの内側に形成された平行部１７ａと、その平行部１７ａと折線Ｌ２１を介して連設され、平行の切り込み１７ｃ，１７ｃから外側端縁に向かうにつれて次第に幅広になるように切り込まれた切り込み１７ｄ，１７ｄと、さらにその幅広の切り込み１７ｄ，１７ｄから外側端縁まで幅狭になるように切り込まれた切り込み１７ｅ，１７ｅとの内側に形成された挿入部１７ｂとから形成されている。また、平行部１７ａを構成する平行な切り込み１７ｃ，１７ｃの切り始め部分には、折線Ｌ２２が設けられている。
【００４３】
右角筒状体１０ａには、上面壁１２と折曲片１５との略境目の折線Ｌ４上に、折線Ｌ４に沿うように切り込まれた係止スリット１８，１８が２箇所に設けられている。
【００４４】
左角筒状体１０ｂには、突起状の係止突片１９，１９が設けられている。この係止突片１９，１９は、上面壁１２と折曲片１５との略境目の折線Ｌ４上から幅広になるように少し切り込まれた切り込み１９ａ，１９ａと、その幅広の切り込み１９ａ，１９ａから外側端縁近傍まで幅狭になるように切り込まれた切り込み１９ｂ，１９ｂと、折曲片１５の長手方向の端縁と平行になるように切り込まれた切り込み１９ｃとの内側に形成されている。また、係止スリット１８，１８と係止突片１９，１９とは、右角筒状体１０ａと左角筒状体１０ｂとが組み合わされたときに、係止突片１９，１９が係止スリット１８，１８内に挿し込まれるように位置されている。
【００４５】
図９の（Ｂ）に示すように、トレー体２０には、底面板２１と突出部２２，２２と立壁部２３，２３とが、折線Ｌ６，Ｌ９，Ｌ１０，Ｌ１１，Ｌ１２，Ｌ１３，Ｌ１４，Ｌ１５，Ｌ１８を介して連設されている。また立壁部２３，２３には、折線Ｌ６，Ｌ１８を介して折込片２４ａ，２４ａが連設され、折線Ｌ７，Ｌ８，Ｌ１６，Ｌ１７を介して折込片２４ｂ，２４ｂが連設されている。底面板２１，２１の中央に存する折線Ｌ１２上には、折線Ｌ１２に沿う長方形状の下面挿込孔２５が設けられている。立壁部２３，２３と折込片２４ａ，２４ａとの境目の折線Ｌ６，Ｌ１８上には、折線Ｌ６，Ｌ１８に沿う長方形状の側面挿込孔２６，２６が設けられている。立壁部２３，２３には、じゃらし３の誘引体３２が飛び出せる程度の大きさの円形状の孔部ｈ・・・が複数設けられている。
【００４６】
次に箱本体１の組立手順について説明する。図１３〜図１５に示すように、まず右角筒状体１０ａおよび左角筒状体１０ｂが角筒状になるように、右角筒状体１０ａおよび左角筒状体１０ｂを折線Ｌ１，Ｌ２，Ｌ３，Ｌ５に沿って折り曲げ、貼着片１４，１４を背面壁１１ｂ，１１ｂに接着剤等を用いて貼着して、右角筒状体１０ａおよび左角筒状体１０ｂを角筒状にする。
【００４７】
そして角筒状にした右角筒状体１０ａと左角筒状体１０ｂとの折曲片１５，１５を、折線Ｌ４，Ｌ４に沿って下方に向かって折り曲げる。このとき係止突片１９，１９が存する左角筒状体１０ｂでは、上面壁１２の係止突片１９，１９が、折曲片１５とともに折り曲げられずに既存の姿勢のまま残って突出するように折曲片１５だけを折り曲げる。また下面挿込片１６，１６を折線Ｌ１９，Ｌ１９，Ｌ２０，Ｌ２０に沿って、上方に向かって折り曲げ、側面挿込片１７，１７を折線Ｌ２１，Ｌ２２に沿って下方に向かって折り曲げる。
【００４８】
そして角筒状に組み立てられた右角筒状体１０ａと左角筒状体１０ｂとを連結するため、左角筒状体１０ｂの係止突片１９，１９を、右角筒状体１０ａの係止スリット１８，１８に挿し込む。このとき、右角筒状体１０ａの下方に折れ曲がった折曲片１５と、左角筒状体１０ｂの下方に折れ曲がった折曲片１５とを、折曲片１５，１５の上面（折れ曲がったときには対向する面）同士が押し合って接するようにする。さらに上方に折れ曲がった下面挿込片１６，１６を、下面挿込片１６，１６の扇状部１６ｂ，１６ｂの上面（折れ曲がったときには対向する面）同士が押し合って接するようにする。
【００４９】
次にトレー体２０を組み立てるためには、突出部２２，２２を折線Ｌ１０，Ｌ１１（Ｌ１３，Ｌ１４）に沿って、底面板２１と重なるまでトレー体２０の内側に折り返し、立壁部２３，２３を折線Ｌ９（Ｌ１５）に沿って、底面板２１，２１の左右両端縁より内側位置で、突出部２２，２２からそれぞれ立ち上がるように曲げ起こす。そして折込片２４ａを折線Ｌ６，Ｌ１８に沿って折り曲げ、折込片２４ｂをＬ７，Ｌ８，Ｌ１６，Ｌ１７に沿って折り曲げる。
【００５０】
最後に、角筒状体１０の内部にトレー体２０を引き入れて、箱本体１（右角筒状体１０ａおよび左角筒状体１０ｂ）の下面挿込片１６，１６をトレー体２０の底面板２１の下面挿込孔２５に挿し込み、箱本体１（右角筒状体１０ａおよび左角筒状体１０ｂ）の側面挿込片１７，１７をトレー体２０の側面挿込孔２６，２６に挿し込む。以上のようにして箱本体１を組み立てる。
【００５１】
次に、本発明の一実施形態にかかる愛玩動物用玩具Ｇの使用方法について説明すると、図１６に示すように、飼い主は、じゃらし３の誘引体３２を箱本体１のいずれかの孔部ｈに挿入し、挿入された孔部ｈとは異なるいずれかの孔部ｈから飛び出させる。そうすると、孔部ｈから飛び出してきたじゃらし３の誘引体３２に反応した愛玩動物Ｐは、誘引体３２を、手足を使って引っ掻いたり、殴打したりして誘引体３２とじゃれる。このとき、愛玩動物Ｐは、箱本体１の側面側のみならず、箱本体１の上面壁１２，１２に跳び乗って、その上面壁１２，１２に乗ったまま飛び出してきたじゃらし３の誘引体３２とじゃれたりすることもある。そして、飼い主は、愛玩動物Ｐが遊んでいるうちに誘引体３２を見慣れて飽きさせないように適宜じゃらし３を箱本体１内に潜ませて、誘引体３２を愛玩動物Ｐの目につかないようにし、再び飼い主は、誘引体３２を挿入された孔部ｈとは異なるいずれかの孔部ｈから飛び出させる。また飼い主は、じゃらし３の誘引体３２を上下左右に動かすなど愛玩動物Ｐの注意を引くように操作し、挿入する孔部ｈや飛び出させる孔部ｈを適宜変更して愛玩動物Ｐの注意を引くようにする。以上のようにして、飼い主と愛玩動物Ｐとが一緒に遊ぶことができる。
【００５２】
本発明の一実施形態にかかる愛玩動物用玩具Ｇは、次の利点がある。
【００５３】
上記実施形態によると、箱本体１は、上面の上面壁１２と下面の下面壁１３と正面の正面壁１１ａと背面の背面壁１１ｂと左右両側面の立壁部２３，２３とを有し、箱本体１の立壁部２３，２３にはじゃらし３を挿入する孔部ｈ・・・が設けられ、箱本体１の上面壁１２にはじゃらし３を飛び出させる孔部ｈ・・・が設けられているため、飼い主がじゃらし３を箱本体１の一側面からを挿入し、箱本体１の上面から飛び出させることで、愛玩動物Ｐが飛び出してきたじゃらし３とじゃれて遊ぶことで、飼い主と愛玩動物Ｐとが確実に一緒に遊ぶことができる。また飼い主が愛玩動物Ｐの注意を引くじゃらし３を愛玩動物Ｐの箱本体１内に適宜潜ませて、じゃらし３を愛玩動物Ｐの目につかないようにすることで、愛玩動物Ｐが遊んでいるうちにじゃらし３を見慣れることがないので、愛玩動物Ｐを確実に飽きさせることがない。
【００５４】
上記実施形態によると、トレー体２０は、角筒状体１０の左開口部１１ｄまたは右開口部１１ｃから角筒状体１０中に引き入れられて、トレー体２０と角筒状体１０とを組み合わせて箱本体１を構成したため、未使用時に角筒状体１０とトレー体２０とを分離することで箱本体１をコンパクトにできる。
【００５５】
上記実施形態によると、角筒状体１０は、左開口部１１ｄを有する左角筒状体１０ｂと、右開口部１１ｃを有する右角筒状体１０ａとを連結して構成されているため、未使用時に角筒状体１０を左角筒状体１０ｂと右角筒状体１０ａとに分離することにより、収納時に嵩張ることがない。
【００５６】
上記実施形態によると、立壁部２３，２３は、底面板２１，２１の左右両端縁より内側位置で突出部２２，２２からそれぞれ立ち上がるように曲げ起こされて形成されているため、突出部２２，２２が重ね合わされた状態から展開状態に戻ろうとする反発力により、立壁部２３，２３は上方に押し上げられる力が作用し、角筒状体１０の上面に下側から押しつけられるため、この立壁部２３，２３が角筒状体１０の上面を支持して、箱本体１の上面の左右両側上面の強度を確実に高めることができる
上記実施形態によると、折曲片１５，１５は、左角筒状体１０ｂおよび右角筒状体１０ａのそれぞれの上面から下方に向かって折り曲げられているため、折曲片１５，１５を上面の補強材として機能させ、箱本体１の連結された部分の上面の強度を高めることができる。これにより、愛玩動物Ｐが遊戯中に箱本体１の上面に飛び乗った際に、箱本体１が愛玩動物Ｐの重さに耐えきれずに押し潰されることがない。
【００５７】
上記実施形態によると、折曲片１５，１５は、折曲片１５，１５の上面（折れ曲がったときには対向する面）同士が押し合って接するようにして下方に折れ曲がっているため、折曲片１５，１５同士が押し合って接することで、折曲片１５，１５が折り曲げられていない状態に戻ることができないので、折曲片１５，１５を確実に下方に向けることができる。
【００５８】
上記実施形態によると、立壁部２３，２３の先端の折込片２４ａ，２４ａは、右角筒状体１０ａおよび左角筒状体１０ｂの上面と平行になるように右角筒状体１０ａおよび左角筒状体１０ｂの内側へ折り曲げられているため、折込片２４ａ，２４ａを立壁部２３，２３の補強材として機能させ、立壁部２３，２３の強度を高めることができる。これにより、愛玩動物Ｐが遊戯中に立壁部２３，２３を殴打等するじゃれによって、立壁部２３，２３に生じる撓み等を軽減でき、強固な立壁部２３，２３を構成することができる。
【００５９】
上記実施形態によると、立壁部２３，２３の左右両側の折込片２４ｂ，２４ｂは、右角筒状体１０ａおよび左角筒状体１０ｂの正面壁１１ａ，１１ａおよび背面壁１１ｂ，１１ｂに沿うように内側に折り曲げられているため、折込片２４ｂ，２４ｂを立壁部２３，２３の補強材として機能させ、立壁部２３，２３の強度を高めることができる。これにより、愛玩動物Ｐが遊戯中に立壁部２３，２３を殴打等するじゃれによって、立壁部２３，２３に生じる撓み等を軽減でき、強固な立壁部２３，２３を構成することができる。
【００６０】
上記実施形態によると、下面挿込孔２５には、角筒状体１０の下面挿込片１６，１６が挿し込まれているため、下面挿込片１６，１６がトレー体２０の引き出し方向の移動を阻止でき、トレー体２０の引き出し方向のずれを防止できる。
【００６１】
上記実施形態によると、下面壁１３，１３の下面挿込片１６，１６の扇状部１６ｂ，１６ｂは、平行部１６ａ，１６ａと折線Ｌ１９，Ｌ１９を介して連設され、下面壁１３の外側に向かって突出するように、その平行な切り込みから下面壁１３の外側に向かうにつれて次第に幅広になり、そして略扇状になるように形成されているため、幅広から略扇状に切り替えた部分の内側の幅が大きくなるから、下面挿込片１６，１６を下面挿込孔２５に挿入した際に、下面挿込片１６，１６が下面挿込孔２５の孔周面に当接し、下面挿込片１６，１６が下面挿込孔２５から容易に抜けるのを防止できる。
【００６２】
上記実施形態によると、側面挿込孔２６，２６には、角筒状体１０の側面挿込片１７，１７が挿し込まれているため、側面挿込片１７，１７はトレー体２０の立壁部２３，２３上縁と係合固定されて、立壁部２３，２３の内側への移動を規制するから、愛玩動物Ｐが遊戯中に立壁部２３，２３を殴打等するじゃれに対してもトレー体２０の立壁部２３，２３が角筒状体１０内部に曲げ倒されるのを防止できる。
【００６３】
上記実施形態によると、上面壁１２，１２の側面挿込片１７，１７の挿入部１７ｂ，１７ｂは、側面挿込片１７，１７が幅広の切り込み１７ｄ，１７ｄから外側端縁まで幅狭になるように切り込まれた切り込み１７ｅ，１７ｅとによって形成されているため、幅広から幅狭部分に切り替えた部分の内側の幅が大きくなるから、側面挿込片１７，１７を側面挿込孔２６，２６に挿入した際に、側面挿込片１７，１７が側面挿込孔２６，２６の孔周面に当接し、側面挿込片１７，１７が側面挿込孔２６，２６から容易に抜けるのを防止できる。
【００６４】
上記実施形態によると、係止突片１９，１９は、幅広の切り込み１９ａ，１９ａと、幅狭の切り込み１９ａと、折曲片１５の長手方向の端縁と平行な切り込み１９ｃと、によって形成されているため、幅広から幅狭部分に切り替えた部分の内側の幅が大きくなるから、係止突片１９，１９を係止スリット１８，１８に挿入した際に、係止突片１９，１９が係止スリット１８，１８のスリット周面に当接し、係止突片１９，１９が係止スリット１８，１８から容易に抜けるのを防止できる。
【００６５】
上記実施形態によると、トレー体２０には、底面板２１の中央部に折線Ｌ１２が設けられているため、未使用時には折線Ｌ１２に沿って底面板２１を二つ折りにすることで、トレー体２０をコンパクトにできる。
【００６６】
上記実施形態によると、じゃらし３は、折り曲げたときの形状を保持できる形状保持手段を備えているため、飛び出させる孔部ｈに合わせて飛ぶ出しやすい角度にじゃらし３を折り曲げてその形状を保持できるから、誘引体３２を孔部ｈから飛ぶ出させやすくできる。
【００６７】
以上、発明を一実施形態に基づいて説明してきたが、本発明は上記実施形態に限定されるものではなく、その発明の範囲で適宜変更可能であり、例えば以下のように構成しても良い。
【００６８】
（１）上記実施形態によると、じゃらし３の誘引体３２が挿入および飛び出させる程度の大きさの円形状の孔部ｈ・・・が複数設けられているとしたが、本発明はこれに限定されるものではなく、孔部の大きさ、孔部の形状、孔部の位置、孔部の範囲、孔部の数量等は、任意に設定することができ、少なくとも、じゃらし３を挿入する孔部とじゃらし３を飛び出させる孔部があれば良い。
【００６９】
またこの孔部について例を示すと、孔部の大きさは、大きい孔部、小さい孔部等の種々の大きさの孔部を採用しても良い。また孔部の形状は、例えば四角形状、三角形状、あるいは何か模様のような形状等であっても良い。孔部の位置は、所定の間隔を置いて均一に並べられているような位置、不規則に並べられているような位置等でも良い。
【００７０】
（２）上記実施形態によると、右角筒状体１０ａおよび左角筒状体１０ｂと、トレー体２０とを組み立てて箱本体１を構成したが、本発明はこれに限定されるものではなく、本発明は、箱本体の一側面と上面に孔部が設けられていればよいので、必ずしも右角筒状体１０ａおよび左角筒状体１０ｂと、トレー体２０とを組み立てて箱本体１を構成しなくとも良い。
【００７１】
（３）上記実施形態によると、じゃらし３は、折り曲げたときの形状を保持できる形状保持手段からなる棒状のものを採用したが、本発明はこれに限定されるものではなく、この形状保持手段は、じゃらし３の全てまたは一部に採用されていても良く、さらには必ずしも形状保持手段を採用する必要はない。
【符号の説明】
【００７２】
Ｇ      愛玩動物用玩具
Ｐ      愛玩動物
ｈ      孔部
１      箱本体
１０    角筒状体
１０ｂ  左角筒状体
１０ａ  右角筒状体
１１ｃ  左開口部
１１ｄ  右開口部
１５    折曲片
１６    下面挿込片
１７    側面挿込片
２０    トレー体
２１    底面板
２２    突出部
２３    立壁部
３      じゃらし
【図１】
2012161257.tif 000003
【図２】
2012161257.tif 000004
【図３】
2012161257.tif 000005
【図４】
2012161257.tif 000006
【図５】
2012161257.tif 000007
【図６】
2012161257.tif 000008
【図７】
2012161257.tif 000009
【図８】
2012161257.tif 000010
【図９】
2012161257.tif 000011
【図１０】
2012161257.tif 000012
【図１１】
2012161257.tif 000013
【図１２】
2012161257.tif 000014
【図１３】
2012161257.tif 000015
【図１４】
2012161257.tif 000016
【図１５】
2012161257.tif 000017
【図１６】
2012161257.tif 000018